(57)【要約】      （修正有）【課題】容器本体とシート蓋との間の開封しやすさが特段に改善され、また開封時に周囲を濡らすという課題が十分に解消された好適な水切り機能を付与された水切り上手容器を提供する。【解決手段】外縁部分に外向きフランジ１３を設けた剛性あるいは半剛性の容器本体１１と、容器本体上面の外向きフランジに張設された柔軟なシート蓋とを備え、容器本体には側壁の隅のＬ字部の切欠き部分１６との間においてほぼ三角形をなすテーブル部１５を形成し、かつ切欠き部分の上端にはテーブル部に至る凹溝２５を形成するとともに、テーブル部には凹溝の周囲を囲む密封シール部２７をシート蓋に形成するとともに、凹溝を横切る位置に開口部を設けた下向き開口片３１を形成してあり、密封シール部を剥がして凹溝を露出することにより、容器本体内の液が下向き開口片の先端から排液できるようにしたことを特徴とする。【選択図】図１
2014237479.tif 000002
【特許請求の範囲】
【請求項１】
Ｌ字状断面の側壁を有し、外縁部分に外向きフランジを設けた剛性あるいは半剛性の容器本体と、該容器本体上面の外向きフランジに張設された柔軟なシート蓋とを備え、
前記容器本体には側壁の隅のＬ字部を切欠いて、上面の外向きフランジに前記側壁の隅のＬ字部の切欠き部分との間においてほぼ三角形をなすテーブル部を形成し、かつ切欠き部分の上端には前記テーブル部に至る凹溝を形成するとともに、前記テーブル部には該凹溝の周囲を囲む密封シール部を前記シート蓋に形成し、かつ該凹溝を横切る位置に開口部を設けた下向き開口片を形成してあり、
前記シート蓋に形成した前記凹溝の周囲を囲む密封シール部を剥がして前記凹溝を露出することにより、容器本体内の液が前記下向き開口片の先端から排液できるようにしたことを特徴とする水切り上手容器。
【請求項２】
前記凹溝は、さらに容器本体上部から下向きに伸びるガイド溝と連結していることを特徴とする請求項１に記載の水切り上手容器。
【請求項３】
前記テーブル部に形成した下向き開口片は、その先端側に前記シート蓋から垂直方向に突出する開口用突起を形成され、前記テーブル部の表面側から該開口用突起を押し下げることにより、前記下向き開口片を開放するようにしたことを特徴とする請求項１または２に記載の水切り上手容器。
【請求項４】
前記テーブル部は、前記下向き開口片の幅方向の両側に沿って１ないし２以上の突条を形成してあることを特徴とする請求項１ないし３のいずれかに記載の水切り上手容器。
【請求項５】
前記容器本体は、その底部内側に台部が形成されており、該台部は前記切欠き部分に向かって低くなるよう形成されていることを特徴とする請求項１ないし４のいずれかに記載の水切り上手容器。
【発明の詳細な説明】
【技術分野】
【０００１】
この発明は、例えば朝漬け等の調味液入りの漬物類や杏仁豆腐等を収納するのに適した、調味液飛び跳ね防止機能を備えた水切り上手容器に関する。
【背景技術】
【０００２】
従来、朝漬け等の調味液入りの漬物類を収納する容器としては、例えば、容器本体周壁上端に外向きフランジを付設し、かつ該外向きフランジ上面にシート蓋の外周部を剥離可能に貼着して容器本体の上端開口面を閉塞したものが一般的である。
また、前記シート蓋に代えて、容器本体の周壁上端にはめ込まれるように成形した嵌合可能な成形蓋を用いることもあった。
【０００３】
しかしながら、前者のシート蓋や後者の成形蓋においては以下のような不具合のあることが知られている。
シート蓋の場合
１）容器本体のどの位置に水切りのための開封箇所があるが見分けが付きにくい。
２）開封の際、中身の「調味液」が飛び散りやすく、使用者自身と身の回りを汚してしまう。
成形蓋の場合
１）容器本体のどの位置に水切りのための開封箇所があるが見分けが付きにくい。
２）嵌合機能付き容器のため、開封に力が必要で難しい。
３）開封の際、中身の「調味液」が飛び散りやすく、使用者自身と身の回りを汚してしまう。
４）容器本体と成形蓋の「接着シール強度」が若干不足しがちである。
【０００４】
ちなみに、特開２００１−５５２８６号公報（特許文献１参照）に正方形の容器本体にシート蓋を取り付けた例を示す。この先行技術には、豆腐と水が収納された容器本体の外向きフランジに排水用の凹溝を設けることにより容器本体内からの排水を容易にした水切り構造が示されている。
【先行技術文献】
【特許文献】
【０００５】
【特許文献１】特開２００１−５５２８６号公報
【発明の概要】
【発明が解決しようとする課題】
【０００６】
従来の朝漬け等の調味液入りの漬物類を収納する容器にあっては、食する際にシート蓋または成形蓋の一部または全部を剥がして容器本体から水を排出させるようになっている。
この場合に排水経路を形成するのはシート蓋または成形蓋が剥がされた平坦な開口部であるため、排水するために容器本体を大きく傾ける必要があるが、傾斜角度および開口部が大きい場合には食品そのものが容器本体外へ出てしまう。このため食品を他方の手で押さえなければならず、しかも水の流出幅も大きいことから周囲を濡らすおそれがあった。
また特許文献１の、容器本体の外向きフランジに排水用の凹溝を設けることにより容器本体内からの排水を容易にした水切り構造においては、水の流出幅を小さくすることはできるものの、逆に勢いよく水が流出してやはり周囲を濡らすという課題は十分解決されるには至っていなかった。
【０００７】
そこでこの発明は、容器本体とシート蓋との間の開封しやすさが特段に改善され、また開封時に周囲を濡らすという課題が十分に解消された好適な水切り機能を付与されるとともに、朝漬け等の調味液入りの漬物商品のイメージが向上し、購入希望の年配あるいは女性等にも取り扱いやすく、したがって売り上げ増に寄与する水切り上手容器の提供をその目的とするものである。
【課題を解決するための手段】
【０００８】
すなわちこの発明の水切り上手容器は、Ｌ字状断面の側壁を有し、外縁部分に外向きフランジを設けた剛性あるいは半剛性の容器本体と、該容器本体上面の外向きフランジに張設された柔軟なシート蓋とを備え、
前記容器本体には側壁の隅のＬ字部を切欠いて、上面の外向きフランジに前記側壁の隅のＬ字部の切欠き部分との間においてほぼ三角形をなすテーブル部を形成し、かつ切欠き部分の上端には前記テーブル部に至る凹溝を形成するとともに、前記テーブル部には該凹溝の周囲を囲む密封シール部を前記シート蓋に形成し、かつ該凹溝を横切る位置に開口部を設けた下向き開口片を形成してあり、
前記シート蓋に形成した前記凹溝の周囲を囲む密封シール部を剥がして前記凹溝を露出することにより、容器本体内の液が前記下向き開口片の先端から排液できるようにしたことを特徴とするものである。
【０００９】
この発明の水切り上手容器において、前記凹溝は、さらに容器本体上部から下向きに伸びるガイド溝と連結していることをも特徴とするものである。
【００１０】
この発明の水切り上手容器において、前記テーブル部に形成した下向き開口片は、その先端側に前記シート蓋から垂直方向に突出する開口用突起を形成され、前記テーブル部の表面側から該開口用突起を押し下げることにより、前記下向き開口片を開放するようにしたことをも特徴とするものである。
【００１１】
この発明の水切り上手容器において、前記テーブル部は、前記下向き開口片の幅方向の両側に沿って１ないし２以上の突条を形成してあることをも特徴とするものである。
【００１２】
この発明の水切り上手容器において、前記容器本体は、その底部内側に台部が形成されており、該台部は前記切欠き部分に向かって低くなるよう形成されていることをも特徴とするものである。
【発明の効果】
【００１３】
この発明の水切り上手容器は以上のように構成したので、以下のような作用効果を発揮することができる。
請求項１の発明においては、前記容器本体の側壁のＬ字状をなす隅部を切欠いて、上面の外向きフランジに前記Ｌ字部分と切欠き部分とで構成されるテーブル部を形成し、かつ切欠き部分の上端には前記テーブル部に至る凹溝を形成するとともに、前記テーブル部には該凹溝の周囲を囲む密封シール部を前記シート蓋に形成し、かつ該凹溝を横切る位置に開口部を設けた下向き開口片を形成してあるので、前記シート蓋に形成した前記凹溝の周囲を囲む密封シール部を剥がして前記凹溝を露出することにより、漬物類の調味液は凹溝から一定の量が勢いを削がれた状態で前記シート蓋の下側に排出される。
もちろん、前記調味液は前記テーブル部に形成された下向き開口片とシート蓋との間、望ましくはテーブル部と下向き開口片との隙間を広がることなく排出されるので、開封の際に中身の調味液が飛び散って、使用者自身と身の回りを汚す心配がない。
【００１４】
請求項２の発明においては、前記凹溝はさらに容器本体下向きに伸びるガイド溝と連結させてある。
したがって、漬物類の調味液が容器本体から凹溝へ無理なく導かれ、開封の際に中身の調味液が飛び散って、使用者自身と身の回りを汚す心配がない。
【００１５】
請求項３の発明においては、前記テーブル部に形成した下向き開口片は、その先端側に前記シート蓋から垂直方向に突出する開口用突起を形成され、前記テーブル部の表面側から該開口用突起を押し下げることにより、前記下向き開口片を開放するようにしたことをも特徴とするものである。
したがって、前記テーブル部の表面側から該開口用突起を押し下げるだけで前記下向き開口片を開放することが可能であり、前記下向き開口片とシート蓋との間の開封操作をきわめて簡単に行うことができる。
【００１６】
請求項４の発明においては、前記テーブル部は、前記下向き開口片の幅方向の両側に沿って１ないし２以上の突条を形成されていることをも特徴とするものである。
したがって、前記テーブル部の表面側から該開口用突起を押し下げる操作に際しては、前記テーブル部の変形を防止することができ、前記下向き開口片とシート蓋との間の開封操作を確実に行うことができる。
【００１７】
請求項５の発明においては、前記容器本体は、その底部内側に台部が形成されており、該台部は前記切欠き部分に向かって低くなるよう形成されている。
したがって、容器本体の底部は前記テーブル部に対して奥から手前側に向かって所定の角度で低くなっており、水切り機能を発揮させるための前記ガイド溝側に調味液が溜まり易くなっているので、調味液を効率よく容器本体から排出させることができる。
【００１８】
その他の効果としては次のような事項を列挙することができる。
１）蓋材にイージーピールフィルムを採用することができ、開封性を容易にすることが可能となった。
２）効果的な水切り機能が付与されるので、調味液の飛び跳ねが解消できた。
３）前記水切り位置と連動して、開封箇所が明確で消費者が非常に取扱いやすくなった。
４）蓋材にラミネートフィルムを採用することにより、容器本体とのシール強度を上げやすくなった。
【図面の簡単な説明】
【００１９】
【図１】この発明に係る水切り上手容器の１実施例を示す透視平面図である。
【図２】シート蓋のシール位置を示す平面図である。
【図３】図１のＡ−Ａ’断面図である。
【図４】図１のＢ−Ｂ’断面図である。
【図５】下向き開口片を指で押し下げた状態を示す断面図である。
【図６】容器本体を傾けて水切り操作をする状態を示す断面図である。
【図７】テーブル部全面のシート蓋を剥がした状態を示す平面図である。
【発明を実施するための形態】
【００２０】
以下、この発明に係る水切り上手容器１０の実施の形態を図面を参照しながら説明する。
図１ないし図７に示す実施例において、１１は剛性あるいは半剛性を備えた容器本体で、四角形状の周壁を構成する側壁１２上端の外縁部分に外向きフランジ１３を付設してあり、該外向きフランジ１３の端縁はさらに下向きのＬ字状断面として補強効果を高めている。
そして、該外向きフランジ１３の１つの隅部１４のＬ字状断面の側壁１２を切欠き、上面の外向きフランジ１３における側壁１２の前記Ｌ字部の切欠き部分１６に、ほぼ三角形のテーブル部１５を形成してある。
そして、前記容器本体１１上面の外向きフランジ１３には、三角形のテーブル部１５を含めて柔軟なシート蓋４１が剥離可能に貼着されている。
【００２１】
前記容器本体１１についてより詳しく説明すると、容器本体１１は底部内側に台部２１が形成されており、該台部２１は前記切欠き部分１６に向かって低くなるよう傾斜させてある。
この傾斜する台部２１により、漬物類の調味液は台部２１の外周の周溝２２部分に集積されやすくなる。また前記台部２１の外縁から底部を経て各側壁１２の所定の位置まで、上方に向かって内向きのリブ２３が複数本設けてあり、このリブ２３も台部２１と同様に調味液を台部２１の外周の周溝２２部分に集積させる機能を持つ。
図において、２４は側壁１２の上部に形成した棚部で、調味液の充填量を示したり、あるいは側壁１２を補強したり、また積み重ねた容器本体１１の分離しやすさ等のために形成されている。
【００２２】
前記切欠き部分１６の上端には前記テーブル部１５に至る凹溝２５が形成されており、前記テーブル部１５上面のシート蓋４１から前記凹溝２５を露出させることにより、容器本体１１内の調味液が排液できるようになっている。
前記凹溝２５は、切欠き部分１６側の端面は前記棚部２４に達しない深さに、またテーブル部１５側の先端は徐々に浅くなっていてテーブル部１５の先端側との間に適宜の間隔が空く位置で終わるＶ字状の側辺２６を有するよう形成されている。
【００２３】
図において２７は１ないし２以上の突条からなるシール部で、前記側壁１２上の外向きフランジ１３において、前記テーブル部１５の凹溝２５の側辺２６の外側を取り巻くように形成されている。もちろん、前記突条からなるシール部２７に代えて１ないし２以上の線シールを用いてもよい。
また２８は、前記ほぼ三角形のテーブル部１５の外周を取り巻くように形成された突条からなるシール部で、前記シート蓋４１はこれらの突条からなるシール部（あるいは線シール）２７やシール部２８に熱融着されて密封される。
図２に前記シート蓋４１のシール位置を示す。
【００２４】
そして前記テーブル部１５には、前記凹溝２５を横切る位置に仮想の開口部３２を設けた下向き開口片３１が形成されており、該下向き開口片３１はその両側から先端につながる切込み部分で下向きに押し下げることができるようになっている。したがって、前記下向き開口片３１を押し下げて切込み部分をずらすと前記テーブル部１５の凹溝２５の先端側をも下方に移動させるので、前記仮想の開口部３２の近傍で前記テーブル部１５の凹溝２５は前記シート蓋４１から剥がされることとなる。
【００２５】
すなわち、前記下向き開口片３１の先端を指で押し下げて前記下向き開口片３１を前記シート蓋４１から剥がせば、前記凹溝２５は前記開口部３２位置まで自動的に露出することになり、そのまま水切り上手容器１０を傾ければ容器本体１１内の液は難なく排液することができるようになった。
図１ないし図７において、３３は前記テーブル部１５の凹溝２５の先端から所定の間隔をおいて前記下向き開口片３１に設けた横長の突起であり、前記テーブル部１５の板面から上向きに突出するよう形成してある。したがってこの突起３３を押し下げることにより前記下向き開口片３１は前記テーブル部１５の板面から容易に押し下げることができる。もちろん、前記下向き開口片３１の先端を指で下に引っ張ってもよい。
したがって、漬物類の調味液は前記テーブル部１５の凹溝２５に導かれ、前記テーブル部１５からまとまった状態で放出される。また前記下向き開口片３１の先端をめくるように折返せば、前記突起３３に調味液がぶつかることもなく、開封の際に中身の調味液が飛び散って、使用者自身と身の回りを汚す心配がない。
【００２６】
この実施例において、前記凹溝２５は、さらに容器本体１１の底部近傍まで伸びるガイド溝３４と連結している。
したがって、漬物類の調味液が容器本体１１から凹溝２５へ無理なく導かれ、開封の際に中身の調味液が飛び散って、使用者自身と身の回りを汚す心配がない。
【００２７】
また前記テーブル部１５には、前記下向き開口片３１の幅方向の両側に沿って１ないし２以上の突条からなるシール部３５が形成してある。該シール部３５は、前記突条からなるシール部２７，２８と組み合わされて前記下向き開口片３１の両側においてほぼ直角三角形をなしており、前記テーブル部１５の剛性を高めるのに貢献している。
なお、前記シート蓋４１は前記シール部３５にも熱融着されて密封される。
前記突条からなるシール部３５により、前記下向き開口片３１を押し下げた際に前記テーブル部１５がつられて変形することがなく、前記テーブル部１５から前記下向き開口片３１が確実に分離されて、前記凹溝２５が前記開口部３２位置まで無理なく露出することとなる。
【００２８】
なお、前記容器本体１１の周壁の断面形状は四角形状に限られず、三角形でも、あるいは多角形状でもよい。これらの場合も上記同様に外向きフランジ１３の隅部の内縁部にテーブル部１５と凹溝２５を形成することにより同様の作用効果が得られる。
さらに、周壁の断面形状としては円形でもよく、この場合にはその一部にＬ字状断面の側壁を形成して切欠き、その外向きフランジにおける側壁の前記Ｌ字部の切欠き部分に、ほぼ三角形のテーブル部を形成すればよい。
【００２９】
次に前記実施形態の作用について説明する。
１）内部に充填した食品等を取り出すに先立って容器本体１１内の例えば調味液を排出するには、図４に示す向きに、前記突起３３を下向きに押して前記下向き開口片３１を押し下げる。もちろんその際、前記下向き開口片３１はその両側から先端につながる切込み部分において首振り自在となっている。
２）実際に、図５に示すように、前記下向き開口片３１の先端を指で下向きに押し下げ、必要に応じて前記下向き開口片３１の先端を指で下に引き下げておく。その際、前記シート蓋４１の凹溝２５の周囲のシール部２７が前記開口部３２位置まで剥がされて、前記凹溝２５が所定位置まで露出する。
もちろん、図７に示すように、あらかじめほぼ三角形のテーブル部１５全面のシート蓋４１を剥がしておいてもよい。
３）このように、前記凹溝２５を前記シート蓋４１から剥がして開口させた後、図６に示すように容器本体１１を傾ければ、容器本体１１内の調味液が排出する。その際、当初調味液は前記凹溝２５から前記シート蓋４１に沿って流れ出すため、前記調味液が飛び跳ねる事態は何ら生じない。その際、前記下向き開口片３１が押し下げているので、調味液は前記凹溝２５から前記テーブル部１５と下向き開口片３１の隙間の先端から流れ出す。
そして、前記調味液が前記シート蓋４１から離れて流れ出した場合には、前記調味液の流速がすでに遅くなっており、前記調味液が飛び跳ねることがない。
【００３０】
この発明の水切り上手容器１０におけるその他の効果としては、次のような項目を挙げることができる。
１）蓋材にイージーピールフィルムを採用することができ、開封性を容易にすることが可能となった。
２）効果的な水切り機能が付与されるので、調味液の飛び跳ねが解消できた。
３）前記水切り位置と連動して、開封箇所が明確で説明書を読まなくても直感的に使うことができ、消費者が非常に取扱いやすくなった。
４）蓋材にラミネートフィルムを採用することによって、容器本体とのシール強度を上げやすくなり、運搬時等にシート蓋が剥がれたり破損しにくくなって不良の発生率を大幅に低減することができる。
【産業上の利用可能性】
【００３１】
この発明の水切り上手容器は、前記朝漬けや古漬け等の調味液入りの漬物類のみならず、焼きそば等の湯切りを伴うインスタント食品やペットフード商品、ところてんやシラタキその他の水に浸した商品、みつ豆等のシロップ入り商品、牡蛎やシジミ等の水に浸した水産食品等を収納する水切り上手容器に適用することができる。
もちろん前記の例示した商品以外でも、水切り等の機能を要求される商品であれば好適に適用することができることはいうまでもない。
【符号の説明】
【００３２】
１０  水切り上手容器
１１  容器本体
１３  外向きフランジ
１４  隅部
１５  テーブル部
１６  切欠き部分
２１  台部
２２  周溝
２３  リブ
２４  棚部
２５  凹溝
２６  側辺
２７  シール部
２８  シール部
３１  開口片
３２  開口部
３３  突起
３４  ガイド溝
３５  突条
４１  シート蓋
【図１】
2014237479.tif 000003
【図２】
2014237479.tif 000004
【図３】
2014237479.tif 000005
【図４】
2014237479.tif 000006
【図５】
2014237479.tif 000007
【図６】
2014237479.tif 000008
【図７】
2014237479.tif 000009